(57)【要約】【課題】２つの分離した光学系を備える光ピックアップ装置において、各光学系が備える対物レンズの間隔をなるべく小さくする構成を低コストで実現する。【解決手段】光ピックアップ装置１は、第１光学系２と第２光学系３とを備える。第１光学系２及び第２光学系３は、それぞれ、光源からの光を反射して光の進行方向を光ディスクの情報記録面と略直交する方向に変換するミラー部材（第１ミラー部材２４、第２ミラー部材３６）を有する。第１光学系２と第２光学系３とは、第１光源２１からの光が第１ミラー部材２４に入射する方向と、第２光源３１からの光が第２ミラー部材３６に入射する方向とが略直交するように配置される。【選択図】図１
2010205377.tif 000002
【特許請求の範囲】
【請求項１】
第１光源と、該第１光源からの光を反射して光の進行方向を光ディスクの情報記録面と略直交する方向に変換する第１ミラー部材と、該第１ミラー部材で反射された光を前記情報記録面に集光する第１対物レンズと、前記情報記録面で反射された戻り光を受光する第１受光素子と、を有する第１光学系と、
前記第１光源と異なる波長の光を出射する第２光源と、該第２光源からの光を反射して光の進行方向を前記情報記録面と略直交する方向に変換する第２ミラー部材と、該第２ミラー部材で反射された光を前記情報記録面に集光する第２対物レンズと、前記情報記録面で反射された戻り光を受光する第２受光素子と、を有する第２光学系と、
前記第１対物レンズ及び前記第２対物レンズを保持するレンズホルダを有して、前記第１対物レンズ及び前記第２対物レンズを少なくともフォーカス方向及びトラック方向に移動可能とする対物レンズアクチュエータと、
を備える光ピックアップ装置であって、
前記第１光源からの光が前記第１ミラー部材に入射する方向と、前記第２光源からの光が前記第２ミラー部材に入射する方向とが略直交するように、前記第１光学系と前記第２光学系とは配置されることを特徴とする光ピックアップ装置。
【請求項２】
前記第１ミラー部材及び前記第２ミラー部材は、いずれも反射面側から見て略矩形状の板状体であり、
前記第１ミラー部材及び前記第２ミラー部材のうちのいずれか一方には、前記板状体の側面を前記反射面に対して斜め方向に切断して成る切断面が形成されることを特徴とする請求項１に記載の光ピックアップ装置。
【請求項３】
前記第１光学系及び前記第２光学系のうち、少なくとも一方には板状の光分離素子が備えられ、
前記光分離素子によって、前記光源からの光の一部が前記光ディスクに導かれ、前記光ディスクからの前記戻り光の一部が前記受光素子へと導かれることを特徴とする請求項１又は２に記載の光ピックアップ装置。
【請求項４】
前記光分離素子と前記受光素子との間の光路に、非点収差を付与する非点収差付与手段が設けられることを特徴とする請求項３に記載の光ピックアップ装置。
【請求項５】
前記非点収差付与手段は、シリンドリカルレンズであることを特徴とする請求項４に記載の光ピックアップ装置。
【請求項６】
前記光分離素子を備える光学系がＤＶＤ及びＣＤ、若しくはＤＶＤ又はＣＤのいずれか一方に対して使用され、他方の光学系がＢＤに対して使用されることを特徴とする請求項３〜５のいずれかに記載の光ピックアップ装置。
【発明の詳細な説明】
【技術分野】
【０００１】
本発明は光ピックアップ装置に関し、より詳細には、光ディスクの種類によって使い分けられる２つの分離した光学系を備える光ピックアップ装置の構成に関する。
【背景技術】
【０００２】
従来、光ディスクの情報を読み取ったり、光ディスクに情報を書き込んだりするために、光ピックアップ装置が使用されている。光ディスクには、例えばコンパクトディスク（ＣＤ）、デジタル多用途ディスク（ＤＶＤ）、ブルーレイディスク（ＢＤ)等、複数種類のものが存在する。このために、利便性等を考慮して、従来の光ピックアップ装置の中には複数種類の光ディスクに対応できるものがある。
【０００３】
そして、複数種類の光ディスクに対応可能な光ピックアップ装置の中には、光ディスクの種類によって使い分けられる２つの分離した光学系を備えるものがある（例えば、特許文献１、２参照）。ここで、各光学系は、それぞれ、光源から出射される光を光ディスクの情報記録面に導くと共に、情報記録面で反射される光を受光素子へと導く機能を果たす。このような光ピックアップ装置の具体例として、一方の光学系がＢＤの情報の読み取り等に使用され、他方の光学系がＤＶＤ及びＣＤの情報の読み取り等に使用されるような光ピックアップ装置がある。
【０００４】
ところで、光ピックアップ装置においては、光源から出射される光を光ディスクの情報記録面に集光するための対物レンズは、対物レンズアクチュエータに搭載される。対物レンズアクチュエータは、搭載される対物レンズを少なくともフォーカス方向及びトラック方向に移動可能とする。ここで、フォーカス方向とは光ディスクの情報記録面と垂直な方向であり、トラック方向とは光ディスクの半径方向と平行な方向である。対物レンズをフォーカス方向に移動可能とするのは、対物レンズの焦点位置が常に情報記録面に合うように制御する（フォーカス制御する）ためである。また、対物レンズをトラック方向に移動可能とするのは、対物レンズによって集光された光スポットが、光ディスクのトラックに常に追随するように制御する（トラック制御する）ためである。
【０００５】
２つの分離した光学系を備える光ピックアップ装置においては、例えば特許文献１のように、光学系毎に別々の対物レンズアクチュエータを備える（すなわち、２つのアクチュエータを備える）構成のものがある。しかし、装置の小型化や部品点数の低減等を考慮すると、特許文献２に開示されるように、各光学系が備える対物レンズを１つのレンズホルダに搭載し、１つの対物レンズアクチュエータで２つの対物レンズを移動可能とするのが好ましい形態である。
【先行技術文献】
【特許文献】
【０００６】
【特許文献１】特開平１０−７４３２８号公報
【特許文献２】特開２００６−２０２４１６号公報
【発明の概要】
【発明が解決しようとする課題】
【０００７】
ところで、２つの対物レンズを１つのレンズホルダに搭載する場合、２つの対物レンズの間隔がなるべく小さくなるように、２つの対物レンズを搭載する必要がある場合がある。これは、例えばレンズホルダをワイヤで懸架するタイプの対物レンズアクチュエータにおいては、レンズホルダに搭載される２つの対物レンズの間隔が大きいと、対物レンズアクチュエータの駆動感度やＤＣチルトといった特性が悪化する場合があり、そのような特性悪化を抑制するためである。
【０００８】
分離した２つの光学系を備える光ピックアップ装置においては、それぞれの光学系に、光源からの光の進行方向が光ディスクの情報記録面と垂直となるように光を反射する打ち上げミラーが備えられる。このため、上述のように２つの対物レンズの間隔を小さくしようとすると、各光学系の打ち上げミラーをなるべく近くに配置する必要が生じる。従来、このような点を考慮した開発例は少なく、更にそれを低コストで実現することを狙った光ピックアップ装置については従来見られない。
【０００９】
そこで、本発明の目的は、２つの分離した光学系を備える光ピックアップ装置であって、各光学系が備える対物レンズの間隔をなるべく小さくする構成を低コストで実現できる光ピックアップ装置を提供することである。
【課題を解決するための手段】
【００１０】
上記目的を達成するために本発明は、第１光源と、該第１光源からの光を反射して光の進行方向を光ディスクの情報記録面と略直交する方向に変換する第１ミラー部材と、該第１ミラー部材で反射された光を前記情報記録面に集光する第１対物レンズと、前記情報記録面で反射された戻り光を受光する第１受光素子と、を有する第１光学系と、前記第１光源と異なる波長の光を出射する第２光源と、該第２光源からの光を反射して光の進行方向を前記情報記録面と略直交する方向に変換する第２ミラー部材と、該第２ミラー部材で反射された光を前記情報記録面に集光する第２対物レンズと、前記情報記録面で反射された戻り光を受光する第２受光素子と、を有する第２光学系と、前記第１対物レンズ及び前記第２対物レンズを保持するレンズホルダを有して、前記第１対物レンズ及び前記第２対物レンズを少なくともフォーカス方向及びトラック方向に移動可能とする対物レンズアクチュエータと、を備える光ピックアップ装置であって、前記第１光源からの光が前記第１ミラー部材に入射する方向と、前記第２光源からの光が前記第２ミラー部材に入射する方向とが略直交するように、前記第１光学系と前記第２光学系とは配置されることを特徴としている。
【００１１】
本構成の光ピックアップ装置によれば、第１ミラー部材と第２ミラー部材の形状を単純な構成として、これら２つのミラー部材の反射面を近接配置することが可能となる。このために、ミラー部材の加工に要するコストを低コスト化でき、各光学系が備える対物レンズの間隔をなるべく小さくする構成を低コストで実現できる。
【００１２】
上記構成の光ピックアップ装置において、前記第１ミラー部材及び前記第２ミラー部材は、いずれも反射面側から見て略矩形状の板状体であり、前記第１ミラー部材及び前記第２ミラー部材のうちのいずれか一方には、前記板状体の側面を前記反射面に対して斜め方向に切断して成る切断面が形成されることとすれば良い。このようなミラー部材の形状はダイシングカットによって容易に得られるために、低コスト化を図り易い。
【００１３】
上記構成の光ピックアップ装置において、前記第１光学系及び前記第２光学系のうち、少なくとも一方には板状の光分離素子が備えられ、前記光分離素子によって、前記光源からの光の一部が前記光ディスクに導かれ、前記光ディスクからの前記戻り光の一部が前記受光素子へと導かれるのが好ましい。このような板状の光分離素子はハーフミラーや板状の偏光ビームスプリッタによって実現でき、光ピックアップ装置の低コスト化を図り易い。
【００１４】
上記構成の光ピックアップ装置において、前記光分離素子と前記受光素子との間の光路に、非点収差を付与する非点収差付与手段が設けられるのが好ましく、非点収差付与手段として例えばシリンドリカルレンズを用いることができる。非点収差法によってフォーカスエラー信号を得る構成の場合、非点収差の方向を調整する必要があるが、本構成により、非点収差の方向を管理しつつ、非点収差を与えることが可能となる。
【００１５】
上記構成の光ピックアップ装置において、前記光分離素子を備える光学系がＤＶＤ及びＣＤ、若しくはＤＶＤ又はＣＤのいずれか一方に対して使用され、他方の光学系がＢＤに対して使用されるのが好ましい。
【発明の効果】
【００１６】
本発明によれば、２つの分離した光学系を備える光ピックアップ装置において、各光学系が備える対物レンズの間隔をなるべく小さくする構成を低コストで実現できる。
【図面の簡単な説明】
【００１７】
【図１】本発明の実施形態に係る光ピックアップ装置の光学系の構成を示す概略平面図
【図２】本実施形態の光ピックアップ装置における打ち上げミラーと対物レンズとの関係を示す側面図で、図１に破線で示した矢印Ａに沿って見た図
【図３】本実施形態の光ピックアップ装置が備える打ち上げミラーの構成を説明するための図
【図４】本発明が適用される光ピックアップ装置の他の実施形態を示す図
【図５】本出願人が先に開発した光ピックアップ装置の光学系の構成を示す概略平面図
【図６】本出願人が先に開発した光ピックアップ装置が備える対物レンズアクチュータの構成を示す概略斜視図
【図７】本出願人が先に開発した光ピックアップ装置が備える第１打ち上げミラーの形状を説明するための図
【発明を実施するための形態】
【００１８】
以下、本発明の光ピックアップ装置の実施形態について、図面を参照しながら詳細に説明するが、その前に、本発明の理解を容易とするために、本出願人が先に開発した光ピックアップ装置（従来の光ピックアップ装置）を紹介し、従来の光ピックアップ装置の問題点を明確にしておく。
【００１９】
（本出願人が開発した従来の光ピックアップ装置）
図５は、本出願人が先に開発した光ピックアップ装置の光学系の構成を示す概略平面図である。この光ピックアップ装置１００は、分離した２つの光学系１０１、１０２を備える。以下、光学系１０１を第１光学系、光学系１０２を第２光学系と表現する。
【００２０】
第１光学系１０１は、ＤＶＤ及びＣＤから情報を読み取る場合や、ＤＶＤ及びＣＤに情報を書き込む場合に使用される光学系である。第１光学系１０１は、第１光源１１１と、ハーフミラー１１２と、第１コリメートレンズ１１３と、第１打ち上げミラー１１４と、第１対物レンズ１１５と、第１受光素子１１６と、を備える。
【００２１】
第１光源１１１は、ＤＶＤ用のレーザ光（波長６５０ｎｍ帯のレーザ光）とＣＤ用のレーザ光（波長７８０ｎｍ帯のレーザ光）とを切り換えて出射可能な２波長対応の半導体レーザである。ハーフミラー１１２は、板状に形成され、入射した光の一部を反射し、残りの一部を透過する。すなわち、第１光源１１１から出射されたレーザ光の一部が反射されて第１コリメートレンズ１１３へと送られることになる。第１コリメートレンズ１１３は、入射したレーザ光を平行光に変換する。
【００２２】
第１コリメートレンズ１１３で平行光に変換されたレーザ光は、第１打ち上げミラー１１４へ送られる。第１打ち上げミラー１１４は入射したレーザ光の進行方向を光ディスクの情報記録面（図示せず）と略直交する方向（図５においては、紙面と垂直な方向が該当する）に変換する。すなわち、第１打ち上げミラー１１４が有する反射面１１４ａは、第１光源１１１から出射されるレーザ光の進行方向に対して４５°傾いている。
【００２３】
第１打ち上げミラー１１４で反射されたレーザ光は、第１対物レンズ１１５によって光ディスクの情報記録面に集光される。情報記録面で反射された戻り光は、第１対物レンズ１１５、第１打ち上げミラー１１４、第１コリメートレンズ１１３を経てハーフミラー１１２に入射する。ハーフミラー１１２に入射した光のうちの一部が透過する。ハーフミラー１１２を透過した戻り光は第１受光素子１１６に集光する。第１受光素子１１６は、受光した光信号を光電変換して電気信号として出力する。出力された信号は処理されて、再生信号やフォーカスエラー信号、トラックエラー信号等となる。
【００２４】
第２光学系１０２は、ＢＤから情報を読み取る場合や、ＢＤに情報を書き込む場合に使用される光学系である。第２光学系１０２は、第２光源１２１と、回折素子１２２と、偏光ビームスプリッタ１２３と、第２コリメートレンズ１２４と、１／４波長板１２５と、第２打ち上げミラー１２６と、第２対物レンズ１２７と、第２シリンドリカルレンズ１２８と、第２受光素子１２９と、を備える。
【００２５】
第２光源１２１はＢＤ用のレーザ光（波長４０５ｎｍ帯のレーザ光）を出射する半導体レーザである。第２光源１２１から出射されたレーザ光は、回折素子１２２によって主光と２つの副光とに分けられる。これは、トラック制御を行うために必要なトラックエラー信号を得られるようにするためである。
【００２６】
偏光ビームスプリッタ１２３は、２つのプリズムを貼り合わせた立方体形状であり、第２光源１２１から出射される直線偏光を反射し、この直線偏光を９０°回転した直線偏光を透過するように形成されている。したがって、回折素子１２２から偏光ビームスプリッタ１２３に送られて来たレーザ光は、偏光ビームスプリッタ１２３で反射される。
【００２７】
第２コリメートレンズ１２４は、図示しない駆動手段によって光軸方向（図５に示す矢印の方向）に移動可能となっている。これは、その位置の操作によって、第２コリメートレンズ１２４から出射されるレーザ光の収束発散状態を変化させ、第２対物レンズ１２７に入射するレーザ光の収束発散状態を変化させるためである。そして、このような構成とする理由は、球面収差の補正を行えるようにするためである。
【００２８】
第２コリメートレンズ１２４を出射したレーザ光は、１／４波長板１２５に送られる。１／４波長板１２５は、入射した直線偏光のレーザ光を円偏光に変換する。円偏光とされたレーザ光は、第２打ち上げミラー１２６に送られる。第２打ち上げミラー１２６は入射したレーザ光の進行方向を光ディスクの情報記録面（図示せず）と略直交する方向（図５においては、紙面と垂直な方向が該当する）に変換する。すなわち、第２打ち上げミラー１２６が有する反射面１２６ａは、第２光源１２１から出射されるレーザ光の進行方向に対して４５°傾いている。
【００２９】
第２打ち上げミラー１２６で反射されたレーザ光は、第２対物レンズ１２７によって光ディスクの情報記録面に集光される。情報記録面で反射された戻り光は、第２対物レンズ１２７を透過し、第２打ち上げミラー１２６で反射される。そして、１／４波長板１２５で直線偏光に変換される。この直線偏光の偏光方向は、第２光源１２１から出射された直線偏光の偏光方向を９０°回転した方向である。このため、１／４波長板１２５、第２コリメートレンズ１２４を順に通過した戻り光は、偏光ビームスプリッタ１２３を透過する。
【００３０】
偏光ビームスプリッタ１２３を透過した戻り光は、第２シリンドリカルレンズ１２８で非点収差を与えられて第２受光素子１２９に集光する。第２受光素子１２９は、受光した光信号を光電変換して電気信号として出力する。出力された信号は処理されて、再生信号やフォーカスエラー信号、トラックエラー信号等となる。
【００３１】
なお、各光学系１０１、１０２を構成する部品のうち、第１対物レンズ１１５及び第２対物レンズ１２７を除く部品は、光ピックアップ装置１００を構成するピックアップベース（図示せず）に搭載される。一方、第１対物レンズ１１５と第２対物レンズ１２７とは、ピックアップベースの上部に配置される対物レンズアクチュータ（図５では示していない）に搭載されて、フォーカス方向、トラック方向、チルト方向に可動する。ここで、チルト方向はフォーカス方向及びトラック方向に直交する軸の軸回り方向である。
【００３２】
図６は、光ピックアップ装置１００が備える対物レンズアクチュータの構成を示す概略斜視図である。図６に示すように、対物レンズアクチュエータ２００は、第１対物レンズ１１５及び第２対物レンズ１２７を保持するレンズホルダ２０２を有する。レンズホルダ２０２は、レンズホルダ２０２を挟んで左右に３本ずつ設けられるワイヤ２０３によって懸架される。アクトベース２０１には貫通孔（図示せず）が形成されており、この貫通孔をレーザ光が透過して、第１対物レンズ１１５及び第２対物レンズ１２７に光源からの光が入射する。
【００３３】
レンズホルダ２０２には、フォーカスコイル、トラックコイル、チルトコイルが備えられる。これらのコイルの詳細については公知のためにその説明は省略するが、これらのコイルへの電流の供給は、ワイヤ２０３を介して行われる。また、レンズホルダ２０２を挟んで、アクトベース２０１に２つの永久磁石２０４ａ、２０４ｂが立設される。永久磁石２０４ａ、２０４ｂによって形成される磁界と、各コイルに流される電流との電磁気的な作用を利用してレンズホルダ２０２が揺動される。これにより、第１対物レンズ１１５及び第２対物レンズ１２７のフォーカス方向、トラック方向及びチルト方向への移動が可能となっている。
【００３４】
従来の光ピックアップ装置１００の概略構成は、以上のようである。ところで、図５に示すように、従来の光ピックアップ装置１００では、第１光源１１１からのレーザ光が第１打ち上げミラー１１４に入射する方向が、光ディスクの接線方向（図５の左右方向が該当する）に対して４５°傾いた方向とされている。これは、戻り光が板状のハーフミラー１１２を透過する際に発生する非点収差によって、非点収差方式のフォーカスエラー信号が得られるように非点収差の発生方向を調整するためである。
【００３５】
すなわち、光ピックアップ装置１００では、第１光源１１１からのレーザ光が第１打ち上げミラー１１４に入射する方向と、第２光源１２１からのレーザ光が第２打ち上げミラー１２６に入射する方向とが、略４５°ずれた関係となっている。
【００３６】
上述のように、対物レンズアクチュエータ２００の駆動感度やＤＣチルト特性を悪化させないために、レンズホルダ２０２に保持される第１対物レンズ１１５と第２対物レンズ１２７とは、できるだけ近接配置する必要がある。このためには、第１打ち上げミラー１１４の反射面１１４ａと第２打ち上げミラー１２６の反射面１２６ａを近接配置する必要がある。そこで、光ピックアップ装置１００では、第１打ち上げミラー１１４の形状に工夫を施し、２つの打ち上げミラー（２つのミラー部材）１１４、１２６の間における干渉を低減して、２つの反射面１１４ａ、１２６ａを近接配置している。なお、第２打ち上げミラー１２６は特に形状に工夫を施すことなく、反射面１２６ａと垂直な方向から見て、略矩形状の板状体となっている。
【００３７】
図７は、従来の光ピックアップ装置１００が備える第１打ち上げミラー１１４の形状を説明するための図で、図７（ａ）は、第１打ち上げミラー１１４の概略斜視図、図７（ｂ）、図７（ｃ）は、図７（ａ）のような形状とするために、どの位置をカットすれば良いかを示す図である。
【００３８】
図７（ａ）に示すように、第１打ち上げミラー１１４は、直方体の一部をカットした形状であり、このカットに伴って２つの切断面１１４ｂ、１１４ｃが形成されている。このカットは、第１打ち上げミラー１１４の不要な角部を落とし反射面１１４ａを第２打ち上げミラー１２６の反射面１２６ａに近づけること、及び、その際に邪魔となる第１打ち上げミラー１１４の肉厚を薄くすることを念頭に行われている。
【００３９】
このような形状を得るためには、図７（ｂ）に示す切断線Ｃ１に沿って一度切断した後に、図７（ｃ）に示す切断線Ｃ２に沿って更に切断する必要がある。そして、このような切断は、人の手によって部材の方向を管理しながら行う必要があるために、切断に要するコストが高く、光ピックアップ装置１００のコストアップにつながっていた。本発明は、このような問題点を解消するために開発されたものである。
【００４０】
（本発明の実施形態）
図１は、本発明の実施形態に係る光ピックアップ装置の光学系の構成を示す概略平面図である。図１に示すように、本実施形態の光ピックアップ装置１も、従来の光ピックアップ装置１００（図５参照）と同様に、分離した２つの光学系である、第１光学系２と第２光学系３とを備える。第１光学系２はＤＶＤ及びＣＤ、若しくはＤＶＤ又はＣＤのいずれか一方に対して使用される光学系で、第２光学系３はＢＤに使用される光学系である。
【００４１】
第１光学系２は、第１光源２１と、ハーフミラー２２と、第１コリメートレンズ２３と、第１打ち上げミラー２４と、第１対物レンズ２５と、第１シリンドリカルレンズ２６と、第１受光素子２７と、を備える。これらのうち、第１対物レンズ２５を除く部品はピックアップベース１１（図２参照）に搭載され、第１対物レンズ２５は対物レンズアクチュエータ１２のレンズホルダ１２ａに搭載される（図２参照）。対物レンズアクチュエータ１２は、先に検討された光ピックアップ装置１００が備える対物レンズアクチュエータ２００（図６参照）と同一の構成であるので、その詳細な説明は省略する。
【００４２】
なお、図２は、本実施形態の光ピックアップ装置１における打ち上げミラーと対物レンズとの関係を示す側面図で、図１に破線で示した矢印Ａに沿って見た図である。また、図２においては、光ディスク５０との関係についても理解し易いように、光ディスク５０を図中に示している。また、図２における５０ａは、光ディスク５０の情報記録面を示す。
【００４３】
第１光学系２は、従来の光ピックアップ装置１００と比較して、第１シリンドリカルレンズ２６が増加しているが、他の構成部品の光学的作用は基本的に同様である。このため、各部材の光学的作用に関する説明は省略する。第１シリンドリカルレンズ２６に関しては後述する。
【００４４】
第２光学系３は、第２光源３１と、回折素子３２と、偏光ビームスプリッタ３３と、第２コリメートレンズ３４と、１／４波長板３５と、第２打ち上げミラー３６と、第２対物レンズ３７と、第２シリンドリカルレンズ３８と、第２受光素子３９と、を備える。これらのうち、第２対物レンズ３７を除く部品はピックアップベース１１（図２参照）に搭載され、第２対物レンズ３７は、第１対物レンズ２５と共に対物レンズアクチュエータ１２のレンズホルダ１２ａに搭載される（図２参照）。第２光学系３の構成は、従来の光ピックアップ装置１００と同様であるために、その詳細な説明は省略する。
【００４５】
図１に示すように、本実施形態の光ピックアップ装置１においては、第１光源２１からのレーザ光が第１打ち上げミラー２４に入射する方向が、第２光源３１からのレーザ光が第２打ち上げミラー３６に入射する方向に対して略直交するように、第１光学系２と第２光学系３が配置される。この点、先に検討した光ピックアップ装置１００と異なり、これにより、レンズホルダ１２ａ（図２参照）に搭載される２つの対物レンズ２５、３７をなるべく近接配置する構成を低コストで実現している。これについて、以下説明する。
【００４６】
２つの対物レンズ２５、３７をなるべく近接配置するためには、第１打ち上げミラー２４の反射面２４ａと第２打ち上げミラー３６の反射面３６ａとをなるべく近接配置する必要がある。このために、２つの打ち上げミラー２４、３６の形状及び位置関係が重要となる。
【００４７】
図３は、本実施形態の光ピックアップ装置１が備える打ち上げミラー２４、３６の構成を説明するための図で、図３（ａ）は２つの打ち上げミラー２４、３６を反射面２４ａ、３６ａ側から見た場合の構成を示す概略平面図、図３（ｂ）は第１打ち上げミラー２４の概略側面図、図３（ｃ）は第１打ち上げミラー２４を反射面２４ａの裏側から見た場合の構成を示す概略斜視図、図３（ｄ）は第２打ち上げミラー３６の概略側面図である。
【００４８】
第１打ち上げミラー２４及び第２打ち上げミラー３６は、例えばガラス等の固体部材表面に、例えばＡｌ等の金属膜を設けることによって反射面２４ａ、３６ａが形成される。これらの打上げミラー２４、３６を反射面２４ａ、３６ａ側から見た場合、図３（ａ）に示すように略矩形状であり、第１打ち上げミラー２４及び第２打ち上げミラー３６は平面視略矩形状の板状体となっている。このような形状とするのは、打ち上げミラー２４、３６の加工が容易となるからである。なお、打ち上げミラー２４、３６の反射面２４ａ、３６ａの大きさは対物レンズ２５、３７の有効径によって決まる。
【００４９】
図３（ｂ）、（ｃ）に示すように、第１打ち上げミラー２４には、板状体（直方体）の側面（反射面２４ａと垂直な面）を反射面２４ａに対して斜め方向（例えば４５°）に切断して成る切断面２４ｂが形成されている。一方、図３（ｄ）に示すように、第２打ち上げミラー３６には、このような切断面は形成されず、単なる直方体形状となっている。
【００５０】
なお、第２打ち上げミラー３６と異なり、第１打ち上げミラー２４には切断面２４ｂを形成する必要があるが、このことによるコストアップはほとんどない。すなわち、打ち上げミラー２４、３６を形成する場合、大量に形成するために板状のベース部材を用意し、このベース部材をダイシングカットして略直方体形状の複数の部材を得る工程が実施される。このダイシングカットの際に、通常の刃に斜めの切断が行えるように別の刃を組み合わせれば、切断面２４ｂのみを形成するための追加加工を行わずとも、切断面２４ｂが形成された部材を得られる。したがって、切断面２４ｂを設けることによるコストアップはほとんどない。
【００５１】
打ち上げミラー２４、３６は、光ピックアップ装置１のピックアップベース１１に配置する場合、それぞれ、反射面２４ａ、３６ａが光源２１、３１からのレーザ光の進行方向に対して略４５°傾くように配置される。上述のように、本実施形態では、第１光源２１からのレーザ光が第１打ち上げミラー２４に入射する方向と、第２光源３１からのレーザ光が第２打ち上げミラー３６に入射する方向とが略直交している。このために、図２に示すように、第１打ち上げミラー２４の切断面２４ｂと対向する側面２４ｃ側を下側にして第１打ち上げミラー２４を配置すると、切断面２４ｂと第２打ち上げミラー３６の側面３６ｂとを対向配置することができる。すなわち、第１打ち上げミラー２４の肉厚による第２打ち上げミラー３６との干渉を回避して、反射面２４ａと反射面３６ａとをぎりぎりまで近づけることが可能となる。
【００５２】
以上のように本実施形態の光ピックアップ装置１では、第１光源２１からのレーザ光が第１打ち上げミラー２４に入射する方向と、第２光源３１からのレーザ光が第２打ち上げミラー３６に入射する方向とが略直交するように第１光学系２と第２光学系３とを配置している。このために、直方体の一の側面に切断を加えた形状の打ち上げミラーを用意するだけで、２つの打ち上げミラーの反射面を近接配置する構成を実現できる。したがって、レンズホルダに搭載される２つの対物レンズをなるべく近接配置する構成を低コストで実現できる。
【００５３】
ところで、本実施形態では、第１光源２１からのレーザ光が第１打ち上げミラー２４に入射する方向と、第２光源３１からのレーザ光が第２打ち上げミラー３６に入射する方向とが略直交するように第１光学系２と第２光学系３を配置する。この場合、第１光学系２のハーフミラー２２によって生じる非点収差の方向が、非点収差方式のフォーカスエラー信号を得るために必要な方向とならない。このために、本実施形態では、ハーフミラー２２と第１受光素子２７との間の光路に非点収差を与える手段として第１シリンドリカルレンズ２６を配置し、非点収差の発生方向を調整している。
【００５４】
なお、本実施形態の構成の場合、従来の構成に比べて第１シリンドリカルレンズ２６を追加する構成となる。しかし、この追加にかかるコストは、従来の方法で打ち上げミラーを加工する場合の加工費に比べて安くできる。
【００５５】
また、板状のハーフミラー２２の代わりに、プリズムを貼り合わせてなるビームスプリッタを用いても良い。また、ハーフミラー２２の代わりに、１／４波長板と組み合わせて、板状の偏光ビームスプリッタを用いても良い。また、第２光学系３についても低コスト化を狙って偏光ビームスプリッタ３３の代わりに板状の偏光ビームスプリッタを用いても良い。さらに、光の利用効率が充分である場合には、偏光ビームスプリッタ３３の代わりにプリズムを貼り合せてなる無偏光ビームスプリッタもしくは、板状のハーフミラーを用いてもよく、この場合１／４波長板３５を削除することが出来る。
【００５６】
（その他）
以上に示した実施形態は一例であり、本発明は上述の実施形態に限定されるものではなく、本発明の目的を逸脱しない範囲で種々の変更が可能である。
【００５７】
例えば、以上に示した実施形態では、第１打ち上げミラー２４に切断面２４ｂを形成して、２つの対物レンズ２５、３７の近接配置を実現した。しかし、この構成に限定される趣旨ではない。第１打ち上げミラー２４ではなく、第２打ち上げミラー３６側に、同様の切断面（直方体形状の板状体の側面を反射面３６ａに対して斜め方向に切断して成る切断面）が設けられる構成としても構わない。この場合、図４に示すように、２つの対物レンズ２５、３７の並設方向が、トラック方向（ラジアル方向でも同じ）ではなくトラック方向と垂直な方向（タンジェンシャル方向）となる。
【００５８】
また、以上に示した実施形態では、非点収差を与える手段としてハーフミラー２２と第１受光素子２７との間の光路に第１シリンドリカルレンズ２６を配置する構成とした。しかし、この構成に限定されず、例えば、第１シリンドリカルレンズ２６の代わりに板状のガラス部材を配置する構成等としても構わない。この場合、板状のガラス部材は、所望の方向に非点収差が発生するように、その向きを調整する必要がある。
【００５９】
また、以上に示した実施形態では、第１光学系２がＤＶＤ及びＣＤ、若しくはＤＶＤ又はＣＤのいずれか一方に対して使用され、第２光学系３がＢＤに対して使用される構成とした。しかし、各光学系が如何なる光ディスクに対して使用されるかは、本発明の構成に限定されないのは言うまでもない。
【産業上の利用可能性】
【００６０】
本発明は、分離した２つの光学系を備える光ピックアップ装置において、各光学系が備える対物レンズを近接配置したい場合に好適に使用できる。
【符号の説明】
【００６１】
１  光ピックアップ装置
２  第１光学系
３  第２光学系
１２  対物レンズアクチュエータ
１２ａ  レンズホルダ
２１  第１光源
２２  ハーフミラー（板状の光分離素子）
２４  第１打ち上げミラー（第１ミラー部材）
２４ａ  反射面
２５  第１対物レンズ
２６  第１シリンドリカルレンズ
２７  第１受光素子
３１  第２光源
３６  第２打ち上げミラー（第２ミラー部材）
３６ａ  反射面
３７  第２対物レンズ
３９  第２受光素子
５０  光ディスク
５０ａ  情報記録面
【図１】
2010205377.tif 000003
【図２】
2010205377.tif 000004
【図３】
2010205377.tif 000005
【図４】
2010205377.tif 000006
【図５】
2010205377.tif 000007
【図６】
2010205377.tif 000008
【図７】
2010205377.tif 000009